(57)【特許請求の範囲】
【請求項１】
床板に複数の脚体を取り付けて当該床板を脚体で支持するように形成されたプール用床であって、
上記脚体は、床板に固定される枠板と、互いに係合可能に設けられ、且つそれぞれ元端部同士が適宜な間隔を開けて枠板に回動自在に取り付けられた一対の脚板とからなり、
両脚板は一方の脚板の先端部が他方の脚板の係合凹部に凹凸係合するように設けられているとともに当該係合部に突部を係止させて係合状態を維持するロック部材が取り付けられており、
枠板から所定角度回動させた上記脚板同士を係合固定し、脚板の先端部を接地させて立設し得るように構成されたプール用床。
【請求項２】
脚板が取り付けられる枠板の両連結部を高さを異ならせて設け、それぞれの連結部に取り付けた脚板を枠板内方へ折り畳んだ状態で、枠板及び脚板が水平に維持され得るように構成された請求項１に記載のプール用床。
【請求項３】
枠板内方へ畳まれた脚板を係止し、当該折り畳み状態を維持する係止部材を具備した請求項１又は２に記載のプール用床。
【請求項４】
脚体を立設したときに接地する脚板先端部と、折り畳んだときに接地する脚板外面部とに滑り防止部材が取り付けられた請求項１〜３の何れかに記載のプール用床。
【請求項５】
脚板同士の係合位置を変えて、脚体の立設高さを選択的に変えることができるように構成された請求項１〜４の何れかに記載のプール用床。
【発明の詳細な説明】
【０００１】
【発明の属する技術分野】
本発明はプールの水深を浅くするためにプールの底に設置されるプール用床に関する。
【０００２】
【従来の技術】
この種プール用床は、図２２に一例として示すように、長尺床材１００、これを固定するアングル材１１０及びこれらを支持するＶ字形の脚体１２０を主要素として構成されているが、これら各部材同士の連結をボルトやリベットなどの固着部材１３０を用いて行ったのでは組み立て作業が煩雑且つ面倒である。
そのため、図２３に示されているように、床材１００が締着されたアングル材１１０に、箱型の脚体１４０を固着部材を用いずに取り付け及び取り外しのできるようにした構造のものが開発されている（実公平２−２７０９４号）。
【０００３】
【発明が解決しようとする課題】
既設のプール用床を解体し、各部材を保管庫などに収納し保管する場合、上記図示した何れのプール用床の脚体も、より小さく分解し或いは折り畳める構造のものではなく、多数個を積み重ねて収納することができず、広い保管スペースを必要とするという問題点があった。
【０００４】
本発明は、上記問題点に着眼し、簡単な操作で組み立て及び分解することができると共に、使用中は外力が加わっても組み立てた状態を確実に保持して安全性に優れ、不使用時には小さく折り畳んで収納し保管することのできるプール用床を提供せんとするものである。
【０００５】
【課題を解決するための手段】
上記課題を解決するため本発明のプール用床は、床板に複数の脚体を取り付けて当該床板を脚体で支持するように形成されたプール用床であって、上記脚体は、床板に固定される枠板と、互いに係合可能に設けられ、且つそれぞれ元端部同士が適宜な間隔を開けて枠板に回動自在に取り付けられた一対の脚板とからなり、両脚板は一方の脚板の先端部が他方の脚板の係合凹部に凹凸係合するように設けられているとともに当該係合部に突部を係止させて係合状態を維持するロック部材が取り付けられており、枠板から所定角度回動させた上記脚板同士を係合固定し、脚板の先端部を接地させて立設し得るように構成してなるものである。
【０００７】
また、脚板が取り付けられる枠板の両連結部を高さを異ならせて設け、それぞれの連結部に取り付けた脚板を枠板内方へ折り畳んだ状態で、枠板及び脚板が水平に維持され得るように構成することが好ましい。
【０００８】
さらに、枠板内方へ畳まれた脚板を係止し、当該折り畳み状態を維持する係止部材を具備することがより好ましい。
また、脚体を立設したときに接地する脚板先端部と、折り畳んだときに接地する脚板外面部とに滑り防止部材を取り付けることがより好ましい。
脚板同士の係合位置を変えて、脚体の立設高さを選択的に変えることができるように構成してもよい。
【０００９】
本発明のプール用床によれば、床板に脚体を固着具等で固定して構成され、各々脚板同士を凹凸係合し、ロック部材を操作して上記係合を固定し、脚体がプール底に対してＶ字型に立設するよう設置して、プールの水深を浅くすることができる。
立設した脚体は、床板を安定的に支持し、凹凸係合部にロック部材の突部が挿入係止してあるので、使用中に脚板が回動したり凹凸係合が分離したりせずに、立設状態を確実に保持する。
解体する際は、床板から取り外した脚体は、ロック部材を操作して先端部同士の係合の固定を解除した後、回動自在とした両脚板を枠板に折り重ねて小さくコンパクトに納められ、複数個を安定的に積み重ねることができる。
解体せずに、床板の下方で脚板を折り畳んでも、コンパクトに納めることができる。この場合、折り畳まれた脚板は係止部材により係止されるので、取り扱い中に妄りに開いたりせず、折り畳んだ状態でも持ち運びも容易となる。また、脚板の外面部にも滑り防止部材を取り付ければ、折り畳んだ状態で防滑部材が接地して脚体が妄りに移動しないようになり、複数個をより安定的に積み重ねることができる。
【００１０】
【発明の実施の形態】
以下、本発明の好適な実施形態を図面により説明する。
図１〜図７は本発明の第１実施形態を示し、図１はプール底に設置したプール用床の要部側面図、図２はプール用床の構成要素である脚体の分解外観図、図３はロック部材の平面図、側面図及び断面図、図４は脚板とロック部材の分解外観図、図５は先端部を凹凸係合させた状態の脚板の要部断面図、図６は脚体の組み立てと折り畳みを説明するための図、図７は脚体を折り畳んだ状態のプール用床の要部側面図である。なお、図２、図５及び図６は脚体を底部側から見たときの状態を示してある。
【００１１】
本形態のプール用床１は、従来と同様に、プール底面嵩上げ用の床板２と、プール底Ｇに設置されて床板２を適宜な高さに支持する複数の脚体３からなり、脚体３をプール底にＶ字型に立設させて床板２を支持し得るように設けると共に、不使用時には、小さく折り畳め、且つ積み重ねに便利なように折り畳んだ状態の上下両面が平坦な水平面となるように構成してある。
【００１２】
床板２は、中空部を有するプラスチック製の長尺状の床材２０と、床材２０を支持する支持部材としてのアングル材２１からなり、図１に示されているように、上面２１ａ及び垂下面２１ｂを向かい合わせにして適宜な間隔離して配置したアングル材２１，２１を一組みとして、複数組みをこれと平行に互いに適宜な間隔を開けて並置し、これらアングル材２１の上にアングル材と交差する向きで複数本の床材２０を敷設すると共に、各々ボルトやリベット等の固着具（図示せず）を用いてアングル材２１に締結固定し、適宜な長さ及び幅の水平な床面に形成してある。
上記対向配置した一組みのアングル材２１，２１は、脚体３の枠板３０の長手方向の寸法と略同寸法離して配置してあり、両アングル材に脚体３を取り付け、固定できるように設けてある。
床材２０とアングル材２１との連結は、上記固着具を用いる他、部材同士の嵌合や係合による固定等の適宜な連結手段により行なうことができる。
【００１３】
脚体３は、図２に示されているように、床板２の底部に固定される枠板３０と、互いに先端部同士が凹凸係合し得るように設けられ、且つそれぞれ元端部同士が適宜な間隔を開けて枠板３０に回動自在に取り付けられた一対の脚板３１，３２からなり、軽量化及び腐食防止の為、それぞれプラスチックを用いて一体成形加工により形成してある。
【００１４】
さらに詳しくは、枠板３０は矩形板に中空部を設けた形状を呈し、床板２の底部に重なる頂面縁部に床材２０の底面と当接する突部３０ａを設け、その底部の四隅角部にボルトやナット等の固着具を挿通し係止可能な取り付け孔３０ｂを穿設し、底部の長手方向両端辺部に両脚板の連結部と互いに軸支し合うように形成された連結部３０ｃ，３０ｄを設けて形成してある。
上記両連結部は、共に複数個の枢支用突起３３ａを枠板底部から突設し、この内、中央二つの枢支用突起間に支軸３３ｂを横設し、両端の枢支用突起３３ａには支軸が挿通し得る軸穴３３ｃを形成してなり、また、枠板３０の底面に対して連結部３０ｃが連結部３０ｄよりも高くなるように設定してある。
【００１５】
脚板３１，３２は、それぞれ周側辺を断面アーチ状に折曲した板枠状を呈し、脚板３１の先端部をアーチ状の先端凹部３１ａとし、脚板３２の先端部を櫛歯状の先端凸部３２ａとして、上記先端凹部３１ａ内に先端凸部３２ａを嵌入し係合し得るように設け（図５参照）、両脚板の元端部に枠板３０の連結部３０ｃ，３０ｄと互いに軸支し合うように形成された連結部３１ｂ，３２ｂをそれぞれ設けて形成してある。
上記両連結部は、それぞれの脚板の元端部に、嵌合溝３３ｄと被枢支用突起３３ｅとを上記枠板３０の連結部３０ｃ，３０ｄの枢支用突起３３ａと対応させて設けると共に、各被枢支用突起及び突起間に軸穴３３ｃと支軸３３ｂを上記枢支用突起３３ａの支軸及び軸穴に対応させて形成してあり、嵌合溝３３ｄ内に上記枢支突起３３ａを嵌合させ、各々支軸３３ｂを軸穴３３ｃに嵌入することにより、枢支用突起３３ａと被枢支用突起３３ｅとが支軸３３ｂにより回動可能に軸支され、両脚板が枠板３０に回動自在に取り付けられるようになっている。
【００１６】
また、脚板３１の外面側において、先端中央部に凹陥部３１ｃが設けられており、この凹陥部３１ｃ内に、脚板３１，３２の先端部同士の係合を固定するロック部材３４が装着してある。ロック部材３４は、図３及び図４に示されているように、底部に係止突起３４ａ付きの取付軸部３４ｂが突設された基部３４ｃの両側に、湾曲部を介して片手で把持可能な幅離れて平行に突出する腕片３４ｄ，３４ｄを連設し、両腕片の先端部に、腕片と交差し且つ先端が基部３４ｃの側縁３４ｅよりも外方に突出する棒状突部３４ｆ，３４ｆと下方に突出する突片３４ｇ，３４ｇとを設けて形成してある。
凹陥部３１ｃ内でロック部材３４は、凹陥部の元端側底面に穿設した軸孔３１ｄに取付軸部３４ｂを圧入係止させると共に、凹陥部の先端側底面に脚板の先端縁辺と平行に穿設した開口３１ｅ，３１ｅに上記突片３４ｇ，３４ｇを、凹陥部の先端側両側面に穿設した軸孔３１ｆ，３１ｆに上記棒状突部３４ｆ，３４ｆをそれぞれ係入させて取り付けられ、上記軸孔３１ｄに圧入した取付軸部３４ｂの係止突起３４ａが軸孔の裏面縁部に係止して基部３４ｃを位置固定し、棒状突部３４ｆと突片３４ｇは共に先端部を軸孔３１ｆと開口３１ｅから脚板３１の裏面側に突出させて保持されるが、両腕片３４ｄ，３４ｄを手で把持する等して先端同士が接近し合う方向に腕片を弾性変形させると、両腕片の先端部は突片３４ｇ，３４ｇが当接する開口３１ｅ，３１ｅに沿って湾曲し、脚板３１の裏面側に突出していた上記棒状突部３４ｆが脚板３１の先端縁辺と平行に内方に移動して、その先端部を凹陥部内側まで移動させ得るように設けてある。
従って、両脚板３１，３２を係合させる際に、両腕片３４ｄ，３４ｄを把持する等して変形させ、棒状突部３４ｆ，３４ｆの先端が脚板３１の裏面側に突出しないよう凹陥部内側に退避させた状態で上記両脚板の先端部同士を凹凸係合させ、その後、上記両腕片から手を離せば、両腕片３４ｄ，３４ｄは自身の弾性によって元の形状に復帰し、上記棒状突部の先端部は、図５に示されているように、上記凹陥部側面の軸孔３１ｆと、凹凸係合状態で重なり合う脚板３２の先端凸部３２ａに形成された軸孔３２ｃとに挿通し、両孔に係止して上記係合状態を固定し、両脚板３１，３２が回動することを防止し、他方、上記の如く両腕片３４ｄ，３４ｄを把持し、棒状突部３４ｆ，３４ｆの先端部を凹陥部内側に位置させれば、上記係合の固定が解除され、両脚板３１，３２は回動自在となり、凹凸係合していた先端部同士を分離することができる。
【００１７】
本形態の脚体３は、枠板３０の連結部３０ｃに脚板３１を、連結部３０ｄに脚板３２をそれぞれ回動自在に取り付け、図６に示されているように、枠板３０内方に両脚板３１，３２を倒し、同板に折り重ねておくことができる（同図（Ａ））。脚体３を立設させるときは、両脚板３１，３２を枠板３０から起立させ（同図（Ｂ））、それぞれ適宜角度に回動して互いの先端部同士を当接させ、上記手順によって先端部を凹凸係合させると共にロック部材３４を操作し、両脚板３１，３２を回動不能に固定して行なうことができる（同図（Ｃ））。
【００１８】
両脚板３１，３２は、折り畳んで積み重ねた際の安定化のため、その短手方向の寸法を枠板３０の短手方向と同寸に設定し、また、脚体３を立設させた状態で上方からの荷重に対する強度を大きくするため、図１に示す如く、枠板３０と両脚板３１，３２とがなす角（α）が略６０°となるように脚板３１，３２の長手方向の寸法が設定してある。
また、折り畳んだ状態で両脚板３１，３２が枠板３０に平行に重なりあい、図７に示す如く、折り畳んだ脚体３の上下両面、すなわち枠板３０と脚板３１，３２の外側面が共に平坦な水平面となるように、枠板３０の連結部３０ｃ，３０ｄの突出高さが設定してある。
【００１９】
なお、図中、符号３５は、脚体３を立設した際に、プール底Ｇに接地する脚板３１の先端部外側面に貼着した滑り防止部材である。また、脚板３１，３２は、適宜中空部を設けて軽量化してもよい。
【００２０】
図８〜図１３は本発明の第２実施形態を示し、図８は脚板とロック部材の分解外観図、図９はロック部材の平面図及び断面図、図１０は係止部材の動作を説明するための図、図１１は滑り防止部材の外観と取り付ける状態を示した図、図１２は他の滑り防止部材の外観と取り付けた状態を示した図、図１３は脚体を立設した状態と折り畳んだ状態のプール用床の要部側面図である。
【００２１】
本形態は、第１実施形態と同要素からなる脚体３に、折り畳まれた脚板３１，３２を係止する係止部材３６と、脚体３を折り畳んだときに接地する滑り防止部材３７とを取り付けて構成したものである。
【００２２】
係止部材３６は、上端を指先押圧部３６ａ、下端を先細りに湾曲した折り返し係止部３６ｂとした突片を、ロック部材３４の内側部にロック部材と一体に設けて形成されており、指先押圧部３６ａを押動すると、押動方向とは反対の方向に折り返し係止部３６ｂが弾性移動するように設けてある。
また、ロック部材３４が取り付けられた対応位置であって、脚体３を折り畳んだ状態で重なり合う脚板３１，３２には、係止部材３６が挿通可能な大きさの開口３１ｇ，３２ｄがそれぞれ形成されており、図１０に示されているように、両脚板を折り重ねたときに、係止部材３６の折り返し係止部３６ｂが脚板３２の開口３２ｄの周辺部に係止して、脚板３１が脚板３２から離れないようにする一方、指先押圧部３６ａを押動したときは上記開口３２ｄの周辺部との係止状態が解除され、脚板３１を脚板３２から離して両脚板を回動することができるようになっている。
【００２３】
滑り防止部材３７は、表面が滑りにくいゴム材やプラスチック材などの弾性材を用いて形成されており、脚体３を立設したとき及び折り畳んだときに接地する脚板３１の先端部と外面部とに取り付けてある。
詳しくは、滑り防止部材３７は、図１１に示されているように、脚板３１の先端部と、脚板３１の両側の当該先端部近傍の外面部とに被着可能な略コ字状を呈し、先端部と外面部との境部分を薄肉のヒンジ部３７ａとし、裏面の適宜箇所に突起３７ａが突設されてなり、当該滑り防止部材が定着し得るように凹ませ、且つ上記突起３７ａが係合する開孔３１ｈが形成された脚板３１の先端部分に固着してある。また、滑り防止部材３７は、脚板３１に固着された状態で、脚板３１の表面よりも僅かに突出する厚みに形成してある。
なお、脚板３１の先端部乃至先端部近傍の外面部に被着固定可能であれば、図１２に示されているように、ヒンジ部３７ａを形成しなくてもよい。
【００２４】
本形態によれば、折り畳んだ脚板３１，３２に係止し、折り畳まれた状態を維持する係止部材３６が脚体３に設けてあるので、脚体単体、或いは床板２に脚体３が取り付けられた状態で脚体３を折り畳み、これを持ち運んだり立てかけたりしても、脚体３が妄りに開く虞れがなく、収納時や運搬時等に極めて取り扱い易いものとなる。また、係止部材３６の端部を押動してワンタッチで係止を解除し、両脚板を回動することができ、取り扱いが極めて簡便である。
また、脚板３１の先端部と外面部とに滑り防止部材３７が取り付けてあり、図１３に示されている如く、脚体３を立設した状態（同図（Ａ））と折り畳んだ状態（同図（Ｂ））の何れでも、常に滑り防止部材３７が接地しているので、脚体３が移動しにくいものとなり、プール用床１の設置状態が安定する。また、折り畳んだ状態では、複数個を安定的に積み重ねておくことができる。
【００２５】
なお、本形態では係止部材３６をロック部材３４と一体に設けたが、脚板３１，３２を折り畳んだ状態が維持可能であれば上記形態に限定されない。例えば脚板３２の側に設けたり、枠板３０との連結部に設けたりしてもよい。
また、滑り防止部材３７は、脚板３１の上記以外の外面部に取り付けてもよい。滑り防止部材３７を複数箇所に取り付ける場合、接地状態を安定させるため、脚板３１の表面からの滑り防止部材３７の突出幅を均一にする必要がある。
【００２６】
図１４〜図１７は本発明の第３実施形態を示し、図１４は脚体の外観図、図１５はロック部材の動作を説明するための図、図１６は脚体の先端部の要部断面図、図１７は脚体の組み立てと折り畳みを説明するための図であり、本形態のプール用床１は、第１実施形態と同構造の床板２と、脚板の凹凸係合構造の異なるプラスチック製の脚体４とから構成してある。なお、図１４及び図１７は脚体を底部側から見たときの状態を示してある。
【００２７】
本形態の脚体４は、頂面縁部に突部４０ａを設けて矩形板状に形成された枠板４０と、断面アーチ状に湾曲させてなる先端部同士が互いに凹凸係合し得るように設けられていて元端部を連結部としてなる脚板４１，４２からなり、上記枠板４０の長手方向両端辺部に軸孔（図示せず）を有する枢支用突起４３ａを複数個突設させた連結部４０ｂ，４０ｃを設け、これら両連結部に、嵌合溝４３ｂと軸孔（図示せず）を有する被枢支用突起４３ｃを上記枢支用突起４３ａと対応させて形成した両脚板４１，４２の連結部４１ａ，４２ａを相互に嵌合させ、枢支用突起４３ａと被枢支用突起４３ｄとを軸棒４５により回動自在に軸支して取り付けてある。
【００２８】
さらに詳しくは、脚板４１，４２の先端部は、図１５に示されているように、短手幅の中心Ｏを境とした一側に凹溝４１ｂ，４２ｂと突起４１ｃ，４２ｃが、他側に上記凹溝に嵌入し得る幅の突起４１ｄ，４２ｄと上記突起が嵌入し得る幅の凹溝４１ｅ，４２ｅがそれぞれ形成されてなり、両脚板４１，４２を向かい合わせにした状態で位置対応する突起４１ｄ，４２ｄと凹溝４１ｂ，４２ｂ及び突起４１ｃ，４２ｃと凹溝４１ｅ，４２ｅとを凹凸嵌合させ得るように設けてある。なお、突起４１ｄ，４２ｄ及び突起４１ｃ，４２ｃの側部には、それぞれ開口４１ｆ，４２ｆ及び開口４１ｇ，４２ｇが、凹凸嵌合状態で同心上に重なるように形成してある。
【００２９】
上記突起４１ｄ，４２ｄは中空状に形成されており、この中空部に連ねて脚板の外面側に凹陥部４１ｈ，４２ｈを設け、この凹陥部内に両脚板の先端部同士の係合を固定するロック部材４４が装着してある。ロック部材４４は、図１５及び図１６に示されているように、底部に係止突条４４ａ，４４ａが並設された籠形の枠部４４ｂに、上記係止突条と平行に延びる棒状突部４４ｃを先端部が枠部側縁４４ｄよりも外方に突出するよう一体に連設して形成してある。
凹陥部４１ｈ，４２ｈ内でロック部材４４は、棒状突部４４ｃを上記突起４１ｄ，４２ｄの中空部内に配し、上記突条４４ａ，４４ａを、脚板１の先端縁辺と平行に凹陥部内に形成された溝条４１ｉ，４２ｉに圧入係止して当該溝条に沿って枠部４４ｂ及び棒状突部４４ｃが摺動移動し得るように取り付けられ、枠部４４ｂが上記脚板の中心Ｏ側にあるときは棒状突部４４ｃが突起４１ｄ，４２ｄ内に位置し（図１５（Ａ））、枠部４４ｂが脚板の縁部側にあるときは棒状突部４４ｃの先端部が突起４１ｄ，４２ｄの開口４１ｆ，４２ｆから凹溝４１ｅ，４２ｅに突出するように設けてある（図１５（Ｂ））。
従って、両脚板４１，４２を係合させる際に、棒状突部４４ｃの先端部が凹溝４１ｅ，４２ｅに突出しないようロック部材４４を操作し、この状態で上記両脚板の先端部同士を凹凸係合させ、その後、枠部４４ｂを脚板の縁部側に位置するようロック部材４４を摺動移動すれば、棒状突部４４ｃの先端部は、突起４１ｄ，４２ｄの開口４１ｆ，４２ｆと突起４１ｃ，４２ｃの開口４１ｇ，４２ｇとに挿通し、両突起を係止して先端部の凹凸係合を固定し、他方、枠部４４ｂを脚板の中心Ｏ側に位置するようロック部材４４を摺動移動すれば、棒状突部４４ｃは突起４１ｇ，４２ｇから抜出し、上記固定が解除され、凹凸係合していた両脚板４１，４２を回動自在とすることができる。
【００３０】
本形態の脚体４も、枠板４０に両脚板４１，４２を回動自在に取り付け、図１７に示されているように、枠板４０の内方に両脚板４１，４２を倒し、同板に折り重ねておくことができる（同図（Ａ））。また、脚体４を立設させるときは、両脚板４１，４２を枠板４０から起立させ（同図（Ｂ））、それぞれ適宜角度に回動して互いの先端部同士を凹凸係合させ、ロック部材４４を操作し、両脚板４１，４２を回動不能に固定して行なうことができる。
【００３１】
なお、枠板４０及び脚板４１，４２の形成寸法は、前記形態と同様、脚体４を立設した際の強度、折り畳んだ状態で重なり合う各板が平坦な水平面に維持されること等を考慮して適宜に設定することができる。
【００３２】
図１８〜図２１は本発明の第４実施形態を示し、図１８は脚板を広げた状態の脚体の外観図、図１９は脚体を立設した状態の外観図、図２０は本形態で用いられるロック部材を例示した図、図２１は本形態の脚体を用いてプール用床の高さを変えた状態を示した図である。なお、図１８及び図１９は脚体を底部側から見たときの状態を示してある。
【００３３】
本形態の脚体５は、枠板５０に脚板５１，５２が回動自在に取り付けられ、枠板５０の内方に折り畳めるように構成されているのは前記各実施形態と同様であるが、脚板５１の内面側に、脚板５２の先端部が嵌入し得る複数個の凹陥部５１ａ〜５１ｄを多段に設け、脚板５２を凹陥部内に凹凸係合させて立設させ得るように形成したものである。
【００３４】
各凹陥部５１ａ〜５１ｄは、脚板５２の先端部が嵌入し、凹凸係合し得る大きさ及び形状を有し、枠板５１の先端部側から一定の間隔を開けて形成されており、図１９に示されているように、脚板５２を凹陥部５１ａに嵌入したときは両脚板を略Ｖ字型に保形せしめ、凹陥部５１ｄに嵌入したときには両脚板を略ｙ字型に保形せしめるようになっている。
【００３５】
また、本形態で用いられるロック部材５３としては、両脚板の凹凸係合部に、突部を係止させて係合状態を維持可能な適宜な形態を採用することができる。例えば図２０に示されているように、脚板５１の側面部に各凹陥部と連通する開孔５１ｅ〜５１ｈを形成し、脚板５２の先端部には脚板内部からスライドして側方に突出する棒体５３ａを設け、脚板５２を凹陥部５１ａ〜５１ｄに嵌入させた状態で、棒体５３ａを開孔５１ｅ〜５１ｈに係合させて固定する態様（同図（Ａ））、上記開孔５１ｅ〜５１ｈと接合する側の脚板５２の側端部にバネ性が付与された突部５３ｂを設け、この突部５３ｂを開孔５１ｅ〜５１ｈに係合させて固定する態様（同図（Ｂ））等がある。
【００３６】
本形態によれば、脚板５１に設けられた複数個の凹陥部５１ａ〜５１ｄ内に、他方の脚板５２が凹凸係合し得るように設けてあるので、脚板５２の係合箇所を各凹陥部の中から選択して脚体５を立設することにより、図２１に示されているように、プール用床１を所望の高さに設定して利用することが可能となる。
なお、本形態では、脚板５２の先端部全体が凹陥部５１ａ〜５１ｄと係合する形状に設けたが、脚板５２の一部が脚板５１に係合する態様としてもよく、両脚板が互いに係合して適宜高さに立設可能であれば、係合の態様は問わない。
【００３７】
上記何れの形態においても、枠板に脚板を軸支して脚体を複数個形成し、これらを床板のアングル材に上記枠板の四隅角部をボルトやナット等の固着具で固定してプール用床が構成され、各々脚板同士を凹凸係合すると共に、ロック部材を操作して上記係合を固定し、脚体を略々Ｖ字乃至ｙ字型に立設してこれを上記凹凸係合した脚板の先端部がプール底に接するよう設置することにより、プールの水深を浅くすることができる。
【００３８】
この状態において、脚体は床板を安定的に支持し、また、凹凸係合する脚板の先端部間にはロック部材の棒状突部を挿通して固定してあるので、使用中に脚板が回動したり凹凸係合が分離したりする虞れはなく、立設状態を確実に保持する。
また、上記ロック部材は、脚板の外面側に配置してあるので操作がし易い一方、凹陥部内に装着され、脚板の外面側に突出していないので、運搬中等に部材同士の衝突等によって誤操作する等の虞れがなく、折り畳んだ脚体を積み重ねた際にも平坦性を維持することができる。
【００３９】
また、既設のプール用床を解体するときは、床板から取り外した脚体を、ロック部材を操作して先端部同士の凹凸係合の固定を解除し、回動自在とした両脚板の係合を外して枠板に両脚板を折り重ねることにより、小さくコンパクトに納めることができ、而も折り畳んだ脚体は、その上下両面、すなわち枠板と脚板の何れもが平坦な水平面に維持されるので、複数個を安定的に積み重ねておくことができ、解体された床材やアングル材と共に、少スペース内に収納し、保管することができる。
【００４０】
なお、床板は、人が立つことができる適宜な大きさ及び構成のものを利用することができ、その底部に脚体を直に取り付けて使用してもよい。
また、上記各実施形態は、利用態様等に応じ、それぞれ組み合わせて最良の形態に構成することができるものである。
【図面の簡単な説明】
【図１】プール底に設置した本発明のプール用床の第１実施形態の要部側面図である。
【図２】第１実施形態のプール用床の構成要素である脚体の分解外観図である。
【図３】図２の脚体のロック部材を示し、（Ａ）は平面図、（Ｂ）は側面図、（Ｃ）はＣ−Ｃ線断面図である。
【図４】図２の脚板とロック部材の分解外観図である。
【図５】先端部を凹凸係合させた状態の脚板の要部断面図である。
【図６】図２の脚体の組み立てと折り畳みを説明するための図である。
【図７】第１実施形態の脚体を折り畳んだ状態のプール用床の要部側面図である。
【図８】第２実施形態にかかる脚板とロック部材の分解外観図である。
【図９】図８のロック部材を示し、（Ａ）は平面図、（Ｂ）はＢ−Ｂ線断面図である。
【図１０】係止部材の動作を説明するための図である。
【図１１】図８の滑り防止部材を示し、（Ａ）は外観図、（Ｂ）は取り付け状態を示す断面図である。
【図１２】滑り防止部材の他の例を示し、（Ａ）は外観図、（Ｂ）は取り付けた状態の脚板の先端外観図である。
【図１３】（Ａ）、（Ｂ）は第２実施形態の脚体を立設した状態と折り畳んだ状態のプール用床の要部側面図である。
【図１４】第３実施形態にかかる脚体の外観図である。
【図１５】図１４の脚体のロック部材の動作を説明するための図である。
【図１６】図１５のＸ−Ｘ線断面図である。
【図１７】図１４の脚体の組み立てと折り畳みを説明するための図である。
【図１８】第４実施形態にかかる脚体の脚板を広げた状態の外観図である。
【図１９】（Ａ）、（Ｂ）は図１８の脚体を係合位置を変えて立設した状態を示す図である。
【図２０】（Ａ）、（Ｂ）は図１８の脚体のロック部材を例示した図である。
【図２１】図１８の脚体を用いてプール用床の高さを変えた状態を示した図である。
【図２２】従来のプール用床の一例の分解外観図である。
【図２３】従来のプール用床の他例の要部を断面で示した外観図である。
【符号の説明】
1     プール用床
2     床板
21     床材
22     アングル材
3,4,5     脚体
30,40,50     枠板
31,32,41,42,51,52  脚板
31c,41f,42f    凹陥部
34,44     ロック部材
34f,44c     棒状突部
【図１】
0003745114.tif 000002
【図２】
0003745114.tif 000003
【図３】
0003745114.tif 000004
【図４】
0003745114.tif 000005
【図５】
0003745114.tif 000006
【図６】
0003745114.tif 000007
【図７】
0003745114.tif 000008
【図８】
0003745114.tif 000009
【図９】
0003745114.tif 000010
【図１０】
0003745114.tif 000011
【図１１】
0003745114.tif 000012
【図１２】
0003745114.tif 000013
【図１３】
0003745114.tif 000014
【図１４】
0003745114.tif 000015
【図１５】
0003745114.tif 000016
【図１６】
0003745114.tif 000017
【図１７】
0003745114.tif 000018
【図１８】
0003745114.tif 000019
【図１９】
0003745114.tif 000020
【図２０】
0003745114.tif 000021
【図２１】
0003745114.tif 000022
【図２２】
0003745114.tif 000023
【図２３】
0003745114.tif 000024